(57)【要約】【課題】輸送や保管や片付けを省スペースで簡単に行うことができるロッカ装置を提供する。【解決手段】扉９と施解錠用のケーシング８とボックス本体１０とで成るボックスユニット２を備え、ボックス本体を構成する各面板１８〜２２がヒンジ２３〜２７で扉に向けて折り畳み可能であるロッカ装置を採用する。各面板は、上下左右の各面板１８〜２１と、何れかの面板にヒンジ２３で連結された背面板２２とで構成される。上下左右の各面板１８〜２１のヒンジの位置を折り畳み順に扉９から遠くした。各面板１８〜２２を凸部２８と凹部との係合で相互に固定した。ボックスユニット２を複数並列に配置し、各ボックスユニットを連結手段３で相互に連結する。【選択図】図１
2007265357.tif 000002
【特許請求の範囲】
【請求項１】
扉と施解錠用のケーシングとボックス本体とで成るボックスユニットを備え、該ボックス本体を構成する各面板がヒンジで該扉に向けて折り畳み可能であることを特徴とするロッカ装置。
【請求項２】
前記各面板が、上下左右の各面板と、何れかの面板にヒンジで連結された背面板とで構成されることを特徴とする請求項１記載のロッカ装置。
【請求項３】
前記上下左右の各面板のヒンジの位置が折り畳み順に前記扉から遠くなっていることを特徴とする請求項２記載のロッカ装置。
【請求項４】
前記各面板が凸部と凹部との係合で相互に固定されることを特徴とする請求項１〜３の何れかに記載のロッカ装置。
【請求項５】
前記ボックスユニットの前記扉と施解錠用のケーシングとを含むフロントユニット部が組立式に構成されたことを特徴とする請求項１〜４の何れかに記載のロッカ装置。
【請求項６】
前記ボックスユニットが複数並列に配置され、各ボックスユニットが連結手段で相互に連結されたことを特徴とする請求項１〜５の何れかに記載のロッカ装置。
【請求項７】
前記ケーシングに続いて前記ボックスユニットに硬貨通路が形成され、各ボックスユニットの硬貨通路が縦方向に連通して下方の集金ボックスに続くことを特徴とする請求項６記載のロッカ装置。
【発明の詳細な説明】
【技術分野】
【０００１】
本発明は、例えばイベント会場等で組み立てて使用され、撤収時等に折り畳んで省スペースで片付けることのできるロッカ装置に関するものである。
【背景技術】
【０００２】
図１７は、従来のロッカ装置の一形態を示すものである（特許文献１参照）。
【０００３】
このロッカ装置６１は、複数の収容室とそれを塞ぐ扉６２を上下左右に並列に有し、各収容室は水平な隔壁と垂直な隔壁６３とで区画され、垂直な隔壁６３の間において各扉６２ごとに施解錠用のケーシング６４を備え、且つ上下の各ケーシング６４に沿って硬貨通路を有し、装置底部側に硬貨回収機構６５を備えたものである。
【０００４】
ケーシング６４はケースの内側に、扉６２をロックするロック部を含むシリンダ錠６６を備えたものであり、ケースの上部に硬貨投入口６７、下部に硬貨返却口６８をそれぞれ有している。扉６２は取っ手で外側に開く。硬貨回収機構６５はモータ駆動のベルト７０と硬貨ガイド７１と回収箱７２とを備えている。
【０００５】
施解錠用のケーシング６４に関しては、例えば特許文献２に一例が開示されている。
【０００６】
このケーシング（図示せず）は、硬貨投入口の後方に硬貨検知ピンを有する昇降レバーをばねで下向きに付勢して配置し、昇降レバーの下端の上側に駆動レバーを配置し、駆動レバーを小レバーとの間で引張ばねで付勢し、これら三つのレバーを共通ピンで軸支し、駆動レバーの上側に硬貨選択レバーを軸支して配置し、選択レバーは前側に硬貨阻止ピン、後側に当接端をそれぞれ有してばねで反時計回りに付勢され、当接端の下側に回動阻止レバーをばねで時計回りに付勢しつつ軸支して構成されている。
【０００７】
回動阻止レバーは上下端に各当接片、下側中間部に硬貨押接ピンをそれぞれ有し、下端の当接片の側方に施錠レバーを左右方向に揺動自在に配置し、施錠レバーの中間部をシリンダ錠に連結し、シリンダ錠はロッドの後端に回動板を有し、回動板を側部の押圧端で硬貨保持板に押接させ、保持板は落下阻止ピンを有して軸を支点にばねで開き方向に付勢されている。
【特許文献１】特開平８−８３３７８号公報（図１）
【特許文献２】特公平６−１０３５１５号公報（図１２）
【発明の開示】
【発明が解決しようとする課題】
【０００８】
しかしながら、上記従来のロッカ装置６１等にあっては、例えばイベント会場等で一時的に使用する際に、イベント会場等へのトラック等での輸送時やイベント会場等での使用後の回収に大きなスペースを必要とし、輸送を何度も繰り返したり、大きなスペースの保管用の倉庫等を確保しなければならないといった問題があった。また、ロッカ装置の高さが決まっているため、設置場所に応じてロッカ高さを変えたりすることができず、場所によっては使用できない場合があるという問題もあった。
【０００９】
本発明は、上記した点に鑑み、輸送や保管や片付けを省スペースでしかも簡単に行うことができ、さらに、設置場所に応じて設置高さを容易に変えることができ、加えて、組立や分離を容易に行うことのできるロッカ装置を提供することを目的とする。
【課題を解決するための手段】
【００１０】
上記目的を達成するために、本発明の請求項１に係るロッカ装置は、扉と施解錠用のケーシングとボックス本体とで成るボックスユニットを備え、該ボックス本体を構成する各面板がヒンジで該扉に向けて折り畳み可能であることを特徴とする。
【００１１】
上記構成により、ロッカ装置の輸送時や回収時や保管時にボックス本体の各面板（壁部）をヒンジから折り畳むことで、ボックス本体を含むボックスユニットが厚み方向にコンパクト化される。ロッカ装置は一つのボックスユニットで構成してもよく、複数のボックスユニットを合体して構成してもよい。ボックス本体が折り畳み式であるから、ボックスユニットの組立（展開）やコンパクト化（折り畳み）が容易である。折り畳み時に各面板は板厚方向に重ねてもよく、重ねずに対称に配置してもよい。
【００１２】
請求項２に係るロッカ装置は、請求項１記載のロッカ装置において、前記各面板が、上下左右の各面板と、何れかの面板にヒンジで連結された背面板とで構成されることを特徴とする。
【００１３】
上記構成により、上下左右の各面板が扉に向けて内向きに折り畳まれ、それと同時にあるいはその前又は後で背面板が何れかの面板に向けて折り畳まれて重ねられる。背面板は一枚でも二枚（分割）でもよい。
【００１４】
請求項３に係るロッカ装置は、請求項２記載のロッカ装置において、前記上下左右の各面板のヒンジの位置が折り畳み順に前記扉から遠くなっていることを特徴とする。
【００１５】
上記構成により、折り畳み時にヒンジ位置の近い側から上下左右の各面板が順に折り畳まれて板厚方向に重ねられ、展開時に折り畳み時とは逆の順でヒンジ位置の遠い側から各面板が展開される。
【００１６】
請求項４に係るロッカ装置は、請求項１〜３の何れかに記載のロッカ装置において、前記各面板が凸部と凹部との係合で相互に固定されることを特徴とする。
【００１７】
上記構成により、各面板が凸部と凹部の係合で相互に位置決め固定される。例えば、左右の側面板を折り畳み、次いで上下の面板を折り畳む場合、側面板が外側から上下の面板で挟まれつつ凸部と凹部の係合で固定される。また、背面板を側面板に連結した場合、背面板を上下の面板で挟みつつ凸部と凹部の係合で固定することもできる。凸部と凹部は各面板の何れにあってもよい。
【００１８】
請求項５に係るロッカ装置は、請求項１〜４の何れかに記載のロッカ装置において、前記ボックスユニットの前記扉と施解錠用のケーシングとを含むフロントユニット部が組立式に構成されたことを特徴とする。
【００１９】
上記構成により、フロントユニット部における扉やケーシングの組付が容易に行われる。扉はボックス本体の上下の壁部（板部）で挟むように固定し、ケーシングはボックス本体の一側部の二枚の壁部の間に収容することが好ましい。フロントユニット部にヒンジでボックス本体の各面板が折り畳み自在に連結される。ボックス本体の各面板をヒンジでフロントユニット部の各壁部に連結した後、各壁部を相互に組み立てることも組立作業性向上の面から好ましい。
【００２０】
請求項６に係るロッカ装置は、請求項１〜５の何れかに記載のロッカ装置において、前記ボックスユニットが複数並列に配置され、各ボックスユニットが連結手段で相互に連結されたことを特徴とする。
【００２１】
上記構成により、複数のボックスユニットで一列のロッカユニットが構成される。ロッカユニットを複数並列に連結すれば大型のロッカ装置が構成される。一列のロッカユニットをロッカ装置として用いることも可能である。連結手段としては、各ロッカユニットの連結や分離の容易な薄板帯状のタイバー等が好ましい。ボックスユニットの数を適宜設定することで、ロッカユニットの高さを調整可能である。
【００２２】
請求項７に係るロッカ装置は、請求項６記載のロッカ装置において、前記ケーシングに続いて前記ボックスユニットに硬貨通路が形成され、各ボックスユニットの硬貨通路が縦方向に連通して下方の集金ボックスに続くことを特徴とする。
【００２３】
上記構成により、各ボックスユニットのケーシングの硬貨投入口に入れた硬貨は硬貨通路を経て下方の集金ボックスに落下して一括回収される。
【発明の効果】
【００２４】
請求項１記載の発明によれば、ボックス本体を折り畳んでコンパクト化することで、ロッカ装置の輸送や回収や保管等を省スペースで行うことができ、輸送や回収や保管等に要するコストが低減される。また、ボックス本体の各壁部を単純に内向きに折り畳む構造によって、折り畳み作業や組立（展開）作業を容易に行うことができる。
【００２５】
請求項２記載の発明によれば、背面板を他の面板とほぼ同時に折り畳んだり展開したりすることで、折り畳み作業や組立（展開）作業を効率良く行うことができる。
【００２６】
請求項３記載の発明によれば、各面板を板厚方向に重ねることで、ボックス本体を迅速に且つ一層コンパクトに折り畳むことができ、請求項１記載の発明の効果が促進される。
【００２７】
請求項４記載の発明によれば、各面板を凸部と凹部との係合で簡単且つ確実に位置決め固定させることができると共に、凸部と凹部との係合を解除して各面板を簡単に折り畳むことができる。
【００２８】
請求項５記載の発明によれば、扉や施解錠用のケーシングを簡単にボックスユニットに組み込むことができ、ボックスユニットの組立作業性が向上する。
【００２９】
請求項６記載の発明によれば、複数のボックスユニットを連結してロッカ装置を短時間で簡単に形成することができ、且つ連結を解除して各ボックスを簡単に分離することができる。また、設置場所のスペースや高さに応じてボックスユニットの数を調整することができるから、イベント会場等のどのような場所にもロッカ装置を設置することができる。
【００３０】
請求項７記載の発明によれば、各ボックスユニットごとに投入された硬貨の回収を一括して効率良く行うことができる。
【発明を実施するための最良の形態】
【００３１】
図１は、本発明に係るロッカ装置を構成するロッカユニットの一実施形態の組立状態を正面側から見た図、図２は同じくロッカユニットを背面側から見た図をそれぞれ示すものである。
【００３２】
このロッカユニット１は、複数のボックスユニット２を縦方向に積み上げてタイバー（連結手段ないし連結部材）３で連結固定させることで構成され、必要に応じて複数のロッカユニット１を横方向に接合して並列に配置することでロッカ装置が構成される。ロッカ装置を一つのロッカユニット１で構成することも可能である。
【００３３】
図３に示す如く、タイバー３はロッカユニット１の底部の矩形枠状のベース４にねじ５で下端部を固定され、長手方向中間部を各ボックスユニット２（図１）にねじ５で固定される。タイバー３にはねじ５を挿入する孔６が形成されている。各タイバー３とベース４とでタイバー組立体７が構成される。
【００３４】
図１〜図２の実施形態では、ボックスユニット２の前部両側と後端中央とにタイバー３が垂直に配置される。タイバー３は薄板金属で形成されることが好ましく、ボックスユニット２は施解錠用のケーシング８を除く扉９やボックス本体１０が合成樹脂材で形成されることが好ましい。
【００３５】
ベース４（図３）には集金ボックス１１が施解錠可能に配置され、各ボックスユニット（図１）２のケーシング８に続く垂直な硬貨通路１２がベース内側の傾斜ガイド面１３を経て集金ボックス１１に通じている。
【００３６】
図１の如く、硬貨通路１２は各ボックスユニット２の前側の部分（フロントユニット部）１４に設けられ、フロントユニット部１４は扉９とケーシング８とを含み、ボックスユニット２のフロントユニット部１４を除く部分であるボックス本体１０の各面板（壁部）１８〜２２が折り畳み自在に構成されている。
【００３７】
ケーシング８は、シリンダ錠１５と硬貨投入口と、シリンダ錠１５の操作で進退する扉ロック部とを含む既存のものである。最上段のボックスユニット２の硬貨通路１２の上部開口は栓（図示せず）で塞いで異物等が入らないようにすることが好ましい。
【００３８】
図４（ａ）〜図４（ｆ）は、ボックスユニット２の組立形態を示すものである。図４（ａ）は正面図、図４（ｂ）は左側面図、図４（ｃ）は右側面図、図４（ｄ）は下面図、図４（ｅ）は上面図、図４（ｆ）は背面図である。
【００３９】
図４（ａ）で扉９は取っ手１７を持って左方向に開く。シリンダ錠１５にはキー３０が差し込まれている。図４（ｂ）の如く、ボックスユニット２の左側面板１８は扉９に一番近い位置（扉９から距離Ｌ1の位置）に垂直方向のヒンジ軸（ヒンジ）２６（図８）を有して、ヒンジ軸２６を支点に左右方向に回動自在となっている。
【００４０】
左側面板１８の後端部には左背面板２２が垂直方向のヒンジ軸２３（図８）で左右方向に回動自在に連結されている。左側面板１８と左背面板２２とで上下の各面板２０，２１が支持されている（上下の各面板２０，２１で左側面板１８と左背面板２２とが挟まれている）。
【００４１】
図４（ｃ）の如く、右側面板１９は扉９から二番目に近い位置（扉９から距離Ｌ2の位置）に垂直方向のヒンジ軸（ヒンジ）２７（図８）を有して、ヒンジ軸２７を支点に左右方向に回動自在となっている。右側面板１９の後端部には右背面板２２が垂直方向のヒンジ軸２３（図８）で左右方向に回動自在に連結されている。右側面板１９と右背面板２２とで上下の各面板２０，２１が支持されている（上下の各面板２０，２１で右側面板１９と右背面板２２とが挟まれている）。
【００４２】
図４（ｄ）の如く、下面板２０は扉９から三番目に近い位置（扉９から距離Ｌ3の位置）に水平方向のヒンジ軸（ヒンジ）２４を有して、ヒンジ軸２４を支点に上下方向に回動自在となっている。下面板２０の後端２０ａは背面板２２の後面と同一面まで延びている。
【００４３】
図４（ｅ）の如く、上面板２１は扉９から四番目に近い位置（扉９から距離Ｌ4の位置）に水平方向のヒンジ軸２５（図４（ｂ））を有して、上下方向に回動自在となっている。上面板２１の後端２１ａは背面板２２の後面と同一面まで延びている。
【００４４】
図４（ｆ）の如く、左背面板２２と右背面板２２とは左右対称に配置されて中央で接して閉じている。
【００４５】
各図において、符号４３は、タイバー３（図３）を固定するための雄ねじを挿入する孔を示している。孔４３の内側にナット（図示せず）がインサート成形等で固定されている。また、符号４４は補強用のリブを示している。上記各ヒンジ軸（ヒンジ）２３〜２７は金属棒で形成されて、各面板の板厚の範囲内の軸受孔（ヒンジ）に挿通されるものであることが好ましい。
【００４６】
図５〜図１４は、ボックスユニット２を折り畳む状態を行程順に示したものである。各斜視図は上下を反転して図示している。
【００４７】
図５〜図６（右側面図）の如く、ボックスユニット２の上面板２１と下面板２０とがそれぞれ水平なヒンジ軸２４，２５を支点に上下に外向きに開かれる。下面板２０は上面板２１よりも前後方向に長く形成されている。
【００４８】
上面板２１と下面板２０との後端部内面には、両側と中央においてそれぞれピン状の突起（凸部）２８が設けられており、各背面板２２に、突起２８を圧入気味に係合させる孔部（凹部）（図示せず）が設けられている。上面板２１と下面板２０に孔部を設け、背面板２２に突起２８を設けることも可能である。突起２８が孔部に係合することで、上面板２１と下面板２０とが背面板２２に係止（固定）される。
【００４９】
次いで、図７〜図８（上面図）の如く、左側面板１８と右側面板１９とが各ヒンジ軸２６，２７を支点に左右に外向きに開かれる。左背面板２２は左側面板１８と一体に左方向に移動し、右背面板２２は右側面板１９と一体に右方向に移動する。各背面板２２は垂直な各ヒンジ軸２３を支点に各側面板１８，１９の内面に向けて閉じ、各側面板１８，１９に重なって平行に折り畳まれる。
【００５０】
図９〜図１０（右側面図）の如く、最初に左側面板１８を左背面板２２と共にヒンジ軸２６を支点にフロントユニット部１４に向けて内向きに折り畳み、次いで右側面板１９を右背面板２２と共にヒンジ軸２７を支点に左側面板１８に向けて（左側面板１８の上に）内向きに折り畳む。
【００５１】
次いで、図１１〜図１２（右側面図）の如く、下面板２０をヒンジ軸２４を支点に右側面板１９に向けて（右側面板１９の上に）内向きに折り畳み、最後に、図１３〜図１４（右側面図）の如く、上面板２１をヒンジ軸２５を支点に下面板２０に向けて（下面板２０の上に）内向きに折り畳む。
【００５２】
このように、ボックスユニット２の上下左右及び後側の各面板１８〜２２がフロントユニット部１４に向けて厚み方向に重ね合わされる（積層される）ことで、未使用時にボックスユニット２が厚み方向にコンパクト化される。
【００５３】
ボックスユニット２を組み立てる（展開する）際は、上記とは逆の操作で各面板１８〜２２を立ち上げて、図４のボックスユニット２を得る。
【００５４】
すなわち、図１３〜図１４の状態から図１１〜図１２の如く、上面板２１を開き、次いで図９〜図１０の如く、下面板２０を開き、次いで図７〜図８の如く、右側面板１９と左側面板１８を各背面板２２と共に順に開き、次いで図５〜図６の如く、左右の背面板２２を中央で接合して、左側面板１８と右側面板１９とを平行に配置し、最後に上面板２１と下面板２０を各側面板１８，１９と各背面板２２に向けて内向きに閉じて接合させることで（順番はどちらが先でもよい）、図４のボックスユニット２が完成する。
【００５５】
このボックスユニット２を必要な数だけ積層して、図３のタイバー３で連結固定することで、図１〜図２のロッカユニット１を得る。タイバー３の長さはボックスユニット２の数に応じて複数種適宜設定しておくことが好ましい。ボックスユニット２の左右の背面板２２の合わせ目２９（図４（ｆ））に後側のタイバー３が当接することで、左右の背面板２２の開きが確実に阻止される。
【００５６】
図１５〜図１６は、ボックスユニット２のフロントユニット部１４の一形態を示すものである。
【００５７】
このフロントユニット部１４は、扉９と、扉９の周囲に配置される上下及び左側の短い各板部（壁部）３１〜３３と、扉９の右端側（開き端側）で右側板部３４と中空の内壁部３５との間に挟まれるように配置固定される施解錠用のケーシング８とで構成されている。
【００５８】
右側板部３４と内壁部３５とは凹部４０と凸部４１との係合で合体されてケーシング収納用の中空ブロック部を構成する。内壁部３５に硬貨通路１２が形成されている。各板部３１〜３４にヒンジ軸２４〜２７を介して前記ボックス本体１０（図４）の各面板１８〜２１が折り畳み自在に連結される。
【００５９】
扉９は左側板部３３に垂直なヒンジ軸３７で回動自在に連結されている。左側板部３３と内壁部３５の上下端には突起（凸部）３８が設けられ、上板部３１と下板部３２とに、突起３８を圧入気味に係合させる孔部（凹部）３９が設けられている。
【００６０】
側板部３３と内壁部３５に孔部３９を設け、上板部３１と下板部３２に突起３８を設けることも可能である。これら突起３８と孔部３９は強く圧入するか、あるいは接着や樹脂溶着等の手段で強固に固定させることが好ましい。突起３８と孔部３９に代えてねじ止め等で各板部や内壁部３１〜３５を相互に固定することも可能である。
【００６１】
右側板部３４と内壁部３５との内面にはケーシング８を保持するための枠状部４０が形成されている。ケーシング８のロック部はシリンダ錠１５のキー操作で内壁部３５の孔部を貫通して扉９の凹部に係合して施錠状態を得る。
【００６２】
なお、上記実施形態においては、ボックスユニット２（図４）を左側面板１８、右側面板１９の順で折り畳みんだが、これは、右側にケーシング８があるために、右側面板１９が左側面板１８よりも短いことに起因している。また、各側面板１８，１９を折り畳んだ後、下面板２０と上面板２１を折り畳んだが、これは、図５の組立時に上下の面板２０，２１で左右及び後の各面板１８，１９，２２を固定することに起因している。
【００６３】
これら各面板１８〜２２の折り畳み順は適宜設定可能であり、例えば図５を９０゜反転させた状態で見るように、上下の各面板２０，２１に背面板２２を一体に連結し、左右の各面板１８，１９で上下及び後の各面板２０〜２２を挟んで固定するようにしてもよい。
【００６４】
また、上記実施形態においては、各ボックスユニット２を連結するのにタイバー３を用いたが、連結手段としてタイバー３に代えて例えば短い板材（図示せず）を用いて隣接の各ボックスユニット２をねじ止めで連結固定したり、あるいは、長いシャフト（図示せず）を上下の面板２０，２１の孔部（図示せず）に貫通させてロックすることも可能である。背面板２２を上下に配置した場合は、各ボックスユニット２の上背面板と下背面板とをシャフトで貫通させてロックすることも可能である。
【００６５】
また、上記実施形態においては、複数個のボックスユニット２で一つのロッカユニット１を構成したが、例えば一つのボックスユニット２をそのまま用いてロッカ装置として使用することも可能である。この場合、各面板１８〜２２の固定はボックスユニット２と同じ長さのタイバー等を用いて行うことが好ましい。
【００６６】
また、上記実施形態においては、左右の各背面板２２を用いたが、例えばボックス本体１０の奥行に較べて横幅が狭い場合には、両背面板２２を合わせた大きさの一つの背面板を何れかの側面板１８，１９にヒンジ軸で連結することも可能である。また、上記実施形態においてはヒンジ軸２４〜２７を用いたが、ヒンジとして例えば薄肉の可撓部を各面板１８〜２２の間あるいは面板１８〜２１とフロントユニット部１４の板部３１〜３４との間に一体樹脂成形することも可能である。但し、繰り返しの折り畳みに対してはヒンジ軸２４〜２７の方が信頼性が高い。
【００６７】
また、上記実施形態においては、ボックス本体１０の各面板１８〜２２を板厚方向に重ね合わせて収納したが、例えばボックス本体１０の横幅が広く、奥行が浅い場合は、左右の側面板１８，１９を重ねずにボックス本体１０の中央位置まで対称に折るようにすることも可能である。これは上下の面板２０，２１についても同様である。また、上記実施形態においても同様であるが、背面板２２を側面板１８，１９又は上下の面板２０，２１の内側ではなく外側に折り畳むようにすることも可能である。
【００６８】
また、上記実施形態においては、複数のボックスユニット２を縦方向に積み重ねてロッカユニット１を構成したが、複数のボックスユニット２を縦方向ではなく横方向に接して並列に配置して横長のロッカユニット１を構成することも可能である。この場合、硬貨通路１２は設けずに硬貨返却口（図示せず）を設けて硬貨の返却のみで回収なしとするか、あるいは、硬貨回収機構をロッカユニット１の下側に別に設ける。
【図面の簡単な説明】
【００６９】
【図１】本発明に係るロッカ装置をなすロッカユニットの一実施形態を示す外観斜視図である。
【図２】同じくロッカユニットを背面側から見た斜視図である。
【図３】ロッカユニットを固定するためのタイバー組立体を示す斜視図である。
【図４】ボックスユニットを示し、（ａ）は正面図、（ｂ）は左側面図、（ｃ）は右側面図、（ｄ）は下面図、（ｅ）は上面図、（ｆ）は背面図である。
【図５】ボックスユニットの上下の面板を展開した状態の斜視図である。
【図６】同じく上下の面板を展開した状態の右側面図である。
【図７】ボックスユニットの上下左右の面板を展開した状態の斜視図である。
【図８】同じく上下左右の面板を展開した状態の上面図である。
【図９】ボックスユニットの左右の面板を背面板と共に折り畳んだ状態の斜視図である。
【図１０】同じく左右の面板を折り畳んだ状態の右側面図である。
【図１１】ボックスユニットの下面板を折り畳んだ状態の斜視図である。
【図１２】同じく下面板を折り畳んだ状態の右側面図である。
【図１３】上面板を含む各面板の折り畳みを完了してコンパクト化したボックスユニットを示す斜視図である。
【図１４】同じく折り畳みを完了したボックスユニットを示す右側面図である。
【図１５】ボックスユニットのフロントユニット部を示す分解斜視図である。
【図１６】同じくフロントユニット部を示す分解正面図である。
【図１７】従来のロッカ装置の一形態を示す正面図である。
【符号の説明】
【００７０】
２          ボックスユニット
３          タイバー（連結手段）
９          扉
８          ケーシング
１０        ボックス本体
１１        集金ボックス
１２        硬貨通路
１４        フロントユニット部
１８        左側面板
１９        右側面板
２０        下面板
２１        上面板
２２        背面板
２３〜２７  ヒンジ軸（ヒンジ）
２８        突起（凸部）
【図１】
2007265357.tif 000003
【図２】
2007265357.tif 000004
【図３】
2007265357.tif 000005
【図４】
2007265357.tif 000006
【図５】
2007265357.tif 000007
【図６】
2007265357.tif 000008
【図７】
2007265357.tif 000009
【図８】
2007265357.tif 000010
【図９】
2007265357.tif 000011
【図１０】
2007265357.tif 000012
【図１１】
2007265357.tif 000013
【図１２】
2007265357.tif 000014
【図１３】
2007265357.tif 000015
【図１４】
2007265357.tif 000016
【図１５】
2007265357.tif 000017
【図１６】
2007265357.tif 000018
【図１７】
2007265357.tif 000019